(57)【要約】【課題】大画面化されても画像の表示品質を劣化させない表示装置を提供する。【解決手段】表示装置１０は、表示部２０と、表示部２０に対して照射される光を発生する複数の光源２３と、複数の光源２３の輝度を制御する制御部２６とを備える。制御部２６は、表示部２０の表示領域に文字情報が存在する場合に、少なくとも当該文字情報を含む領域を明るくする。【選択図】図１
2017161630.tif 000002
【特許請求の範囲】
【請求項１】
表示部と、
前記表示部に対して照射される光を発生する複数の光源と、
前記複数の光源の輝度を制御する制御部とを備え、
前記制御部は、前記表示部の表示領域に文字情報が存在する場合に、少なくとも前記文字情報を含む領域を明るくすることを特徴とする表示装置。
【請求項２】
請求項１記載の表示装置において、
前記制御部は、前記文字情報を含む領域に近接する外縁部の少なくとも１辺を明るくすることを特徴とする表示装置。
【請求項３】
請求項２記載の表示装置において、
前記制御部は、前記表示領域の外縁部全域を明るくすることを特徴とする表示装置。
【請求項４】
請求項２記載の表示装置において、
前記制御部は、前記外縁部の１辺の全域を明るくすることを特徴とする表示装置。
【請求項５】
請求項２〜４のいずれか１項に記載の表示装置において、
前記制御部は、前記文字情報を含む領域の明るさと前記外縁部以外の領域の明るさとを略等しくすることを特徴とする表示装置。
【請求項６】
請求項１〜５のいずれか１項に記載の表示装置において、
前記制御部は、前記表示領域の大きさに基づいて、前記表示領域の明るさを変更することを特徴とする表示装置。
【請求項７】
請求項１〜６のいずれか１項に記載の表示装置において、
前記表示部は、複数の表示領域を有し、
前記制御部は、前記複数の表示領域の各々に対して、明るさを変更することを特徴とする表示装置。
【請求項８】
請求項７記載の表示装置において、
前記制御部は、前記複数の表示領域毎の平均の明るさを互いに略等しくすることを特徴とする表示装置。
【請求項９】
請求項１〜８のいずれか１項に記載の表示装置において、
前記制御部は、前記表示領域に表示されるコンテンツの画像である第１画像と、前記表示領域外に表示され、前記第１画像中の指定領域内の画像を拡大表示した第２画像とを含む場合には、前記第２画像が表示される領域の明るさを、前記指定領域の明るさよりも明るくすることを特徴とする表示装置。
【請求項１０】
請求項１〜９のいずれか１項に記載の表示装置において、
前記制御部は、前記表示領域の明るさを変更する領域に対応する光源の輝度を変更することを特徴とする表示装置。
【発明の詳細な説明】
【技術分野】
【０００１】
本発明は、画像を表示するための表示装置に関するものである。
【背景技術】
【０００２】
従来、液晶パネルを利用した表示部と、この表示部に対して照射される光を発生する複数の光源を持つバックライトとを備えた表示装置が知られている。この表示装置において、バックライトの消費電力の制限下で見た目の明るさを良くするために、実際には表示部の画面の周辺部よりも中央部の方が明るくなるようにバックライトの輝度分布を制御することがあった（特許文献１参照）。
【先行技術文献】
【特許文献】
【０００３】
【特許文献１】特開２００２−５５６７５号公報
【発明の概要】
【発明が解決しようとする課題】
【０００４】
近年、表示部の大画面化に伴って大型化したバックライトの消費電力を抑制するため、その光源としてＬＥＤ（Light Emitting Diode）を採用することが多くなっている。多数のＬＥＤを持つ大型の表示装置でも従来と同様に周辺光量比を小さく設計すると、画面全体に文字情報を含む画像を表示する場合や、画面を複数の領域に分割して各領域に異なる画像を表示する場合等には違和感が生じてしまう。
【０００５】
本発明の目的は、大画面化されても画像の表示品質を劣化させない表示装置を提供することにある。
【課題を解決するための手段】
【０００６】
上記目的を達成するため、本発明は、表示部と、前記表示部に対して照射される光を発生する複数の光源と、前記複数の光源の輝度を制御する制御部とを備え、前記制御部は、前記表示部の表示領域に文字情報が存在する場合に、少なくとも前記文字情報を含む領域を明るくすることを特徴とする表示装置の構成を採用したものである。
【発明の効果】
【０００７】
本発明によれば、文字情報がユーザの注意を引き付ける点に鑑みて、文字情報の存在と光源の輝度制御とを関連付けることにより、大画面化されても画像の表示品質を劣化させない表示装置を提供することができる。
【図面の簡単な説明】
【０００８】
【図１】本発明に係る表示装置の基本構成を示すブロック図である。
【図２】第１の実施形態に係る表示装置におけるバックライトのＬＥＤ配置を示す正面図である。
【図３】図２のバックライトにおけるＬＥＤ輝度制御の２つの例を示す図である。
【図４】第２の実施形態に係る表示装置におけるバックライトの領域分割の例を示す正面図である。
【図５】図４のバックライトの各領域における、中央部と周辺部との輝度差と、画像の動き量との関係を示す図である。
【図６】（ａ）、（ｂ）、（ｃ）及び（ｄ）は、各々図５の関係の具体例を示す図である。
【図７】図４のバックライトにおける各ＬＥＤの輝度制御の例を示す図である。
【図８】図７の例における領域毎の平均ＬＥＤ電流の比較を示す図である。
【図９】図４のバックライトにおける各ＬＥＤの輝度制御の他の例を示す図である。
【図１０】図９の例における領域毎の平均ＬＥＤ電流の比較を示す図である。
【図１１】図４のバックライトにおける各ＬＥＤの輝度制御の更に他の例を示す図である。
【図１２】図１１の例における領域毎の平均ＬＥＤ電流の比較を示す図である。
【図１３】第３の実施形態に係る表示装置における表示部の領域分割の例を示す正面図である。
【図１４】図１３の例における領域毎の平均ＬＥＤ電流の比較を示す図である。
【図１５】図１３の第１変形例の正面図である。
【図１６】図１３の第２変形例の正面図である。
【図１７】第４の実施形態に係る表示装置における表示部の正面図である。
【図１８】図１７の表示部とユーザとの位置関係を示す平面図である。
【図１９】各種サイズの表示部において、推奨視聴距離に位置するユーザが瞬時に注視可能な画像表示領域の最大サイズを示す図である。
【図２０】画像表示領域が所定サイズよりも小さい場合の画面の例を示す正面図である。
【図２１】画像表示領域が所定サイズよりも大きく、且つ、画像表示領域の外縁部に文字情報が存在しない場合の画面の例を示す正面図である。
【図２２】画像表示領域が所定サイズよりも大きく、且つ、画像表示領域の外縁部に文字情報が存在する場合の画面の例を示す正面図である。
【図２３】第５の実施形態に係る表示装置における表示部上の画像表示領域の例を示す正面図である。
【図２４】図２３の例の１つの変形例を示す正面図である。
【発明を実施するための形態】
【０００９】
以下、本発明の実施形態を図面に基づいて詳細に説明する。
【００１０】
図１は、本発明に係る表示装置の基本構成を示すブロック図である。図１の表示装置１０は、画面２１を有する表示部としての液晶パネル２０と、光源部としてのバックライト２２とを備える。バックライト２２は、液晶パネル２０に対して照射される光を発生する複数の光源をなす複数のＬＥＤ２３を有する。
【００１１】
表示装置１０は、入力部２４と、検出部２５と、制御部２６と、操作部２７とを更に備える。入力部２４は、与えられた画像信号を液晶パネル２０及び検出部２５へ送る。検出部２５は、表示部２０の画面２１上の所定領域の画像の動き量を検出する。或いは、検出部２５は、表示部２０の画面２１上の所定領域における文字情報を検出する。ここに言う文字情報とは、例えば、放送波中の他の画像に埋め込まれた文字画像データを含み、また放送波中の画像データ、音声データ等と共に送信されるテキストデータをも含み、且つ、記号、数字、単語等からなる情報を含む。制御部２６は、検出部２５による検出結果に基づいて、複数のＬＥＤ２３のうち画像表示領域に位置するＬＥＤの輝度を制御する。特に、制御部２６は、表示部２０の画像表示領域に文字情報が存在する場合には、少なくとも当該文字情報を含む領域を明るくするようにＬＥＤの輝度制御を実行する。操作部２７は、ユーザからの各種指示を制御部２６へ伝達する。
【００１２】
検出部２５は、フレーム差分検出、画像エッジ検出、色度変化検出等の様々な手法により、動き量の検出と、静止画／動画の判別と、自然画像／文字情報を含む画像の判別とを実行することができる。ここで、自然画像とは、例えば空と海と砂浜とが映り込んだ自然風景の静止画等を指す。
【００１３】
例えば、静止画と動画とは、前フレームの画面内で同じ画素のデータ値との差分を用いて判別することができる。具体的には、複数フレーム間の同じ画素の信号レベルの差分を抽出する。この差分値の合計が一定レベルを超えるとき、その画像は動画であると判定する。静止画では同画素の値との相関性が高いので合計値は小さくなり、動画では同画素の値との相関性は静止画に比べるとかなり低くなることを利用するのである。
【００１４】
同じ静止画でも、自然画像と文字情報を含む画像とは、１画面内で隣の画素のデータ値との差分を用いて判別することができる。具体的には、隣の画素との信号レベルの差分を抽出する。１画面内での差分値の合計が一定レベルを超えるとき、その画像は文字情報を含む画像であると判定する。自然画像では隣の画素の値との相関性が高いので合計値は小さくなり、文字情報を含む画像では隣の画素の値との相関性は自然画像に比べるとかなり低くなることを利用するのである。
【００１５】
以下、５つの実施形態に係る表示装置１０を説明するが、いずれも図１の基本構成を備えているものとする。
【００１６】
《第１の実施形態》
図２は、第１の実施形態に係る表示装置１０におけるバックライト２２のＬＥＤ配置を示す正面図である。各々光源である複数のＬＥＤ２３は、複数の同心楕円を描く位置に、且つ、中心に近いほど密に配置されている。そして、これらのＬＥＤ２３は、図２に示すように、第１〜第１６ＬＥＤグループ（１）〜（１６）に分割されている。第１、第２、第３及び第４ＬＥＤグループ（１），（２），（３），（４）は、バックライト２２の左上部にて、この順に周辺部から中央部に向かって配置される。第５、第６、第７及び第８ＬＥＤグループ（５），（６），（７），（８）は、バックライト２２の右上部にて、この順に中央部から周辺部に向かって配置される。第９、第１０、第１１及び第１２ＬＥＤグループ（９），（１０），（１１），（１２）は、バックライト２２の左下部にて、この順に周辺部から中央部に向かって配置される。第１３、第１４、第１５及び第１６ＬＥＤグループ（１３），（１４），（１５），（１６）は、バックライト２２の右下部にて、この順に中央部から周辺部に向かって配置される。
【００１７】
制御部２６は、検出部２５により判定された種類が静止画（動き量が略０）で、且つ、文字情報を含む画像である場合には、画面２１の全体が略均等な明るさになるように、第１〜第１６ＬＥＤグループ（１）〜（１６）の輝度を略均等に制御する。この場合の画面２１の中央部と周辺部との光源の輝度差は略０である。また、制御部２６は、検出部２５により判定された種類が動画（動き量が非０）である場合には、画面２１の周辺部よりも中央部の方が明るく、且つ、その輝度差が第１所定値となるように、第１〜第１６ＬＥＤグループ（１）〜（１６）の輝度を制御する。更に、制御部２６は、検出部２５により判定された種類が静止画（動き量が略０）で、且つ、自然画像である場合には、画面２１の周辺部よりも中央部の方が明るく、且つ、その輝度差が上記第１所定値よりも小さい第２所定値となるように、第１〜第１６ＬＥＤグループ（１）〜（１６）の輝度を制御する。
【００１８】
図３は、図２のバックライト２２におけるＬＥＤ輝度制御の２つの例として、動画の場合と、自然画像の場合とを示している。図２中のＡはバックライト２２の合計輝度設定値である。例えば、動画の場合には、設定値Ａの４．２％に相当する輝度が第１ＬＥＤグループ（１）に、設定値Ａの８．５％に相当する輝度が第４ＬＥＤグループ（４）にそれぞれ割り当てられることが示されている。
【００１９】
図３の上段の例によれば、制御部２６は、検出部２５により判定された種類が動画である場合には、中央部に位置する第４、第５、第１２及び第１３ＬＥＤグループ（４），（５），（１２），（１３）の輝度を高く制御し、且つ、周辺部に位置する第１、第８、第９及び第１６ＬＥＤグループ（１），（８），（９），（１６）の輝度を低く制御する。その輝度差は、０．０４３Ａである。
【００２０】
図３の下段の例によれば、制御部２６は、検出部２５により判定された種類が静止画で、且つ、自然画像である場合には、中央部に位置する第４、第５、第１２及び第１３ＬＥＤグループ（４），（５），（１２），（１３）の輝度を高く制御し、且つ、周辺部に位置する第１、第８、第９及び第１６ＬＥＤグループ（１），（８），（９），（１６）の輝度を低く制御する。その輝度差は、０．０４１Ａである。
【００２１】
本実施形態によれば、バックライト２２にて複数のＬＥＤ２３を同心楕円上に配置し、画面２１に表示される画像の動き量に応じて当該複数のＬＥＤ２３の輝度をグループ制御することとしたので、大画面化されても画像の表示品質を劣化させない表示装置１０とすることができる。また、個々のＬＥＤ２３の輝度を個別制御する場合に比べて、制御部２６の構成を単純化できる。
【００２２】
《第２の実施形態》
図４は、第２の実施形態に係る表示装置１０におけるバックライト２２の領域分割の例を示す正面図である。ここでは、説明の簡単のため、６０個のＬＥＤ２３が６行１０列に配置されているものとする。しかも、液晶パネル２０の画面２１が４つの領域に分割され、これに対応してＬＥＤ２３の配置領域も第１、第２、第３及び第４領域に分割されている。バックライト２２にて、第１領域は第１行から第３行まで、且つ、第Ａ列から第Ｅ列までのＬＥＤ２３の領域であり、第２領域は第１行から第３行まで、且つ、第Ｆ列から第Ｊ列までのＬＥＤ２３の領域であり、第３領域は第４行から第６行まで、且つ、第Ａ列から第Ｅ列までのＬＥＤ２３の領域であり、第４領域は第４行から第６行まで、且つ、第Ｆ列から第Ｊ列までのＬＥＤ２３の領域である。ただし、図４中の６０個のＬＥＤ２３の全部又は一部が、複数の光源の集合体であってもよい。
【００２３】
検出部２５は、液晶パネル２０の画面２１上の４つの領域の各々について、当該領域に表示される画像の動き量を検出する。制御部２６は、画面２１上の領域毎に、検出部２５により検出された画像の動き量に応じてＬＥＤ２３の輝度を制御する。具体的には、制御部２６は、領域について検出された種類が静止画（動き量が略０）で、且つ、文字情報を含む画像である場合には、当該領域の全体が略均等な明るさになるように、ＬＥＤ２３の輝度を制御する。この場合の当該領域の中央部と周辺部との光源の輝度差は略０である。また、制御部２６は、領域について検出された種類が動画（動き量が非０）である場合には、当該領域の周辺部よりも中央部の方が明るくなるように、ＬＥＤ２３の輝度を制御する。しかも、制御部２６は、当該領域の画像の動き量が大きいほど中央部と周辺部との光源の輝度差が大きくなるように、ＬＥＤ２３の輝度を制御する。
【００２４】
更に、制御部２６は、領域毎の消費電力の配分について、第１モードと第２モードとのいずれかを選択することができる。第１モードでは、制御部２６は、領域毎に検出された画像の動き量にかかわらず、領域毎の平均輝度が互いに略等しくなるように、ＬＥＤ２３の輝度を制御する。第２モードでは、制御部２６は、例えば、検出された動き量が非０である動画領域の平均輝度が、検出された動き量が略０である静止画領域の平均輝度よりも大きくなるように、ＬＥＤ２３の輝度を制御する。第１及び第２モードのいずれでも、制御部２６は、操作部２７を介してユーザからリモコン操作等により指示された少なくとも１つの領域の平均輝度を増加又は減少させるように、ＬＥＤ２３の輝度を制御することができる。
【００２５】
図５は、図４のバックライト２２の各領域における、中央部と周辺部との輝度差と、画像の動き量との関係を示す図である。制御部２６は、領域毎の画像の動き量が大きいほど、当該領域の中央部と周辺部との光源の輝度差が大きくなるように、ＬＥＤ２３の輝度を制御する。これは、画像の動きが速いほど、ユーザの視点が中央部に集まるからである。
【００２６】
図６（ａ）、図６（ｂ）、図６（ｃ）及び図６（ｄ）は、各々図５の関係の具体例を示している。図６（ａ）によれば、領域内の動画の動き量が「大」である場合には、当該領域の中央部と周辺部との光源の輝度差を大きくする。図６（ｂ）によれば、領域内の動画の動き量が「中」である場合には、当該領域の中央部と周辺部との光源の輝度差を中程度にする。図６（ｃ）によれば、領域内の動画の動き量が「小」である場合には、当該領域の中央部と周辺部との光源の輝度差を小さくする。また、図６（ｄ）によれば、領域内の画像が静止画（動き量が略０）で、且つ、文字情報を含む画像である場合には、当該領域の中央部と周辺部との光源の輝度差を略０にする。
【００２７】
図７は、図４のバックライト２２におけるＬＥＤ２３の第１モード輝度制御の例を示す図である。図８は、図７の例における領域毎の平均ＬＥＤ電流の比較を示す図である。ここでは、第１、第２及び第３領域にそれぞれ動画が、第４領域に文字情報を含む静止画が表示されるものとしている。
【００２８】
図７の数値例によれば、バックライト２２の合計輝度設定値をＡとすると、例えば、第１行且つ第Ａ列に位置するＬＥＤ２３の輝度は、５０Ａを４５７５で除した値に制御される。
【００２９】
更に、図７によれば、第１行から第３行まで、且つ、第Ａ列から第Ｅ列までのＬＥＤ２３の領域である第１領域では、動き量の大きい動画の表示に適合するように、当該第１領域内の周辺部よりも中央部の方が明るくなるようにＬＥＤ２３の輝度が制御されている（中央部と周辺部との最大輝度差＝５０Ａ／４５７５）。第１行から第３行まで、且つ、第Ｆ列から第Ｊ列までのＬＥＤ２３の領域である第２領域でも、第１領域と略同様である。一方、第４行から第６行まで、且つ、第Ａ列から第Ｅ列までのＬＥＤ２３の領域である第３領域では、動き量の小さい動画の表示に適合するように、当該第３領域内の周辺部よりも中央部の方が明るくなるようにＬＥＤ２３の輝度が制御されている（中央部と周辺部との最大輝度差＝２５Ａ／４５７５）。また、第４行から第６行まで、且つ、第Ｆ列から第Ｊ列までのＬＥＤ２３の領域である第４領域では、文字情報を含む静止画の表示に適合するように、当該領域の全体が略均等な明るさになるようにＬＥＤ２３の輝度が制御されている（中央部と周辺部との輝度差＝０）。
【００３０】
図７の数値例をもとに領域毎の平均輝度を計算すると、いずれの領域でも１１４３．７５Ａ／４５７５＝Ａ／４となる。これに対応して、図８によれば、いずれの領域でも平均ＬＥＤ電流がＸ／４に制御されている。ここに、Ｘはバックライト２２の合計ＬＥＤ電流設定値である。
【００３１】
図９は、図４のバックライト２２におけるＬＥＤ２３の第２モード輝度制御の例を示す図である。図１０は、図９の例における領域毎の平均ＬＥＤ電流の比較を示す図である。ここでも、第１、第２及び第３領域にそれぞれ動画が、第４領域に文字情報を含む静止画が表示されるものとしている。
【００３２】
図９によれば、第１行から第３行まで、且つ、第Ａ列から第Ｅ列までのＬＥＤ２３の領域である第１領域では、動画の表示に適合するように、当該第１領域内の周辺部よりも中央部の方が明るくなるようにＬＥＤ２３の輝度が制御されている（中央部と周辺部との最大輝度差＝２５Ａ／４７２５）。第１行から第３行まで、且つ、第Ｆ列から第Ｊ列までのＬＥＤ２３の領域である第２領域でも、第１領域と同様である。また、第４行から第６行まで、且つ、第Ａ列から第Ｅ列までのＬＥＤ２３の領域である第３領域でも、第１領域と同様である。一方、第４行から第６行まで、且つ、第Ｆ列から第Ｊ列までのＬＥＤ２３の領域である第４領域では、文字情報を含む静止画の表示に適合するように、当該領域の全体が略均等な明るさになるようにＬＥＤ２３の輝度が制御されている（中央部と周辺部との輝度差＝０）。
【００３３】
図９の数値例をもとに領域毎の平均輝度を計算すると、第１領域ではＡ／４＋ａ、第２領域ではＡ／４＋ｂ、第３領域ではＡ／４−ｂ、第４領域ではＡ／４−ａとなる。ただし、Ａ／４＝１１８１．２５Ａ／４７２５、ａ＝６２．５Ａ／４７２５、ｂ＝２５Ａ／４７２５である。これに対応して、図１０によれば、平均ＬＥＤ電流が、第１領域ではＸ／４＋αに、第２領域ではＸ／４＋βに、第３領域ではＸ／４−βに、第４領域ではＸ／４−αにそれぞれ制御されている。ここに、Ｘはバックライト２２の合計ＬＥＤ電流設定値であって、α＞βである。
【００３４】
図１１は、図４のバックライト２２におけるＬＥＤ２３の第２モード輝度制御の他の例を示す図である。図１２は、図１１の例における領域毎の平均ＬＥＤ電流の比較を示す図である。ここでも、第１、第２及び第３領域にそれぞれ動画が、第４領域に文字情報を含む静止画が表示されるものとしている。ただし、図９及び図１０の場合に比べて第３領域の平均輝度を増加させるように、操作部２７を介してユーザから指定されたものとする。
【００３５】
図１１によれば、第１行から第３行まで、且つ、第Ａ列から第Ｅ列までのＬＥＤ２３の領域である第１領域では、動き量の大きい動画の表示に適合するように、当該第１領域内の周辺部よりも中央部の方が明るくなるようにＬＥＤ２３の輝度が制御されている（中央部と周辺部との最大輝度差＝５０Ａ／４１５０）。第１行から第３行まで、且つ、第Ｆ列から第Ｊ列までのＬＥＤ２３の領域である第２領域でも、第１領域と同様である。一方、第４行から第６行まで、且つ、第Ａ列から第Ｅ列までのＬＥＤ２３の領域である第３領域では、動き量の小さい動画の表示に適合するように、当該第３領域内の周辺部よりも中央部の方が明るくなるようにＬＥＤ２３の輝度が制御されている（中央部と周辺部との最大輝度差＝２５Ａ／４１５０）。また、第４行から第６行まで、且つ、第Ｆ列から第Ｊ列までのＬＥＤ２３の領域である第４領域では、文字情報を含む静止画の表示に適合するように、当該領域の全体が略均等な明るさになるようにＬＥＤ２３の輝度が制御されている（中央部と周辺部との輝度差＝０）。
【００３６】
図１１の数値例をもとに領域毎の平均輝度を計算すると、第１領域ではＡ／４＋２ａ、第２領域ではＡ／４＋ａ、第３領域ではＡ／４＋２ａ、第４領域ではＡ／４−５ａとなる。ただし、Ａ／４＝１０３７．５Ａ／４１５０、ａ＝６２．５Ａ／４１５０である。これに対応して、図１２によれば、平均ＬＥＤ電流が、第１領域ではＸ／４＋２αに、第２領域ではＸ／４＋αに、第３領域ではＸ／４＋２αに、第４領域ではＸ／４−５αにそれぞれ制御されている。ここに、Ｘはバックライト２２の合計ＬＥＤ電流設定値である。図１０では第３領域の平均ＬＥＤ電流がＸ／４よりも低く制御されていたが、図１２ではユーザ指定に呼応して第３領域の平均ＬＥＤ電流がＸ／４よりも高く制御されていることが判る。
【００３７】
制御部２６は、図７、図９及び図１１の例における合計輝度設定値Ａが常に一定値になるように制御することができる。この場合には、ある領域の平均輝度を増加させると、他の領域の平均輝度を減少させることで、バックライト２２の全体における合計輝度が一定に保たれる。図８、図１０及び図１２の例における合計ＬＥＤ電流設定値Ｘについても、常に一定値になるように制御される。ある領域の平均ＬＥＤ電流を増加させると、他の領域の平均ＬＥＤ電流を減少させることで、バックライト２２の全体における合計ＬＥＤ電流、つまり消費電力が一定に保たれるのである。
【００３８】
本実施形態によれば、マルチ表示している画面のそれぞれで画像の動き量に応じた最適な光源部の輝度設定を実現できるので、限られた消費電力内で各画像の表示品質を上げることが可能となる。
【００３９】
なお、画面の分割数は４に限らない。分割された各領域に、第１の実施形態で説明したＬＥＤ楕円配置を採用することも可能である。
【００４０】
《第３の実施形態》
図１３は、第３の実施形態に係る表示装置１０における液晶パネル２０の画面領域分割の例を示す正面図である。図１３によれば、液晶パネル２０の画面２１が左右に２分割され、左画面の画像が親画像（第１画像）、右画面の画像が子画像（第２画像）とされる。そして、操作部２７を介して親画像中の領域Ａが指定され、当該親画像中の指定領域である領域Ａの画像が、子画像である領域Ｃに拡大表示されるようになっている。図１３中の領域Ｂは、親画像中の領域Ａ以外の領域を表している。
【００４１】
図１４は、図１３の例における領域毎の平均ＬＥＤ電流の比較を示す図である。図１４によれば、領域Ａの表示面積をａ、領域Ｂの表示面積をｂ、領域Ｃの表示面積をｃとすると、平均ＬＥＤ電流が、領域Ａでは｛Ｘ＊ａ／（ａ＋ｂ＋ｃ）｝＋αに、領域Ｂでは｛Ｘ＊ｂ／（ａ＋ｂ＋ｃ）｝−α−βに、領域Ｃでは｛Ｘ＊ｃ／（ａ＋ｂ＋ｃ）｝＋βにそれぞれ制御されている。ここに、Ｘはバックライト２２の合計ＬＥＤ電流設定値であり、（領域Ａの単位表示面積あたりの電流）＜（領域Ｃの単位表示面積あたりの電流）となるように、αとβが設定されている。
【００４２】
図１４によれば、領域Ａの画像よりも領域Ｃの拡大画像の方が明るくなるようにバックライト２２の輝度が制御されるので、ユーザの視点が領域Ａの画像よりもむしろ領域Ｃの拡大画像に向けられる結果、着目画像をクローズアップで明瞭に示すことができる。また、領域Ｂの画像よりも領域Ａの画像の方が明るくなるようにバックライト２２の輝度が制御されるので、拡大表示させたい領域が親画像中のどの部分であるかが判りやすくなる。なお、領域Ａの画像とが領域Ｂの画像と略均等な明るさになるように、バックライト２２の輝度を制御してもよい。
【００４３】
ここで、一部を拡大表示する画像の種類は、静止画、動画のいずれでもよい。領域Ｃの拡大画像が図１３のような文字情報を含む静止画（動き量が略０）であると判定されたときには、領域Ｃの全体が略均等な明るさになるように制御する。この場合の領域Ｃの中央部と周辺部との光源の輝度差は略０である。また、領域Ｃの拡大画像が動画（動き量が非０）であると判定されたときには、領域Ｃの周辺部よりも中央部の方が明るくなるように制御する。しかも、領域Ｃの画像の動き量が大きいほど中央部と周辺部との光源の輝度差が大きくなるように制御するのがよい。このように、画像の動き量に応じてバックライト２２の輝度均一化制御あるいは部分高輝度制御を行う。
【００４４】
図１３中の領域Ａは、操作部２７を介したユーザのリモコン操作等により、親画像中での位置が可変であることが好ましい。
【００４５】
図１５に示すように、液晶パネル２０の画面２１にて、領域Ａの横幅拡大に連動して領域Ｃの拡大表示を変更するようにしてもよい。この場合の領域Ａは、操作部２７を介したユーザのリモコン操作等により、親画像中での位置、形状又は寸法の少なくとも１つが可変である。
【００４６】
図１６に示すように、液晶パネル２０の画面２１を３つ以上に分割し、そのうちの１つを親画像（第１画像）、残りを子画像（第２画像）とすることもできる。図１６の例では、親画像中の指定領域である領域Ａの画像が、１つの子画像である領域Ｃに拡大表示されるとともに、親画像中の他の指定領域である領域Ｂの画像が、他の１つの子画像である領域Ｄに拡大表示される。
【００４７】
この場合でも、親画像中の領域Ａ及び領域Ｂの画像よりも領域Ｃ及び領域Ｄの拡大画像の方が明るくなるように、バックライト２２のＬＥＤ輝度が制御される。
【００４８】
本実施形態によれば、マルチ表示している画面のそれぞれで画像の動き量に応じた最適な光源部の輝度設定を実現できるので、画像の表示品質を上げることが可能となる。また、特定の領域を拡大表示してユーザに提示することで、利便性をもたらす効果も期待される。
【００４９】
《第４の実施形態》
第４の実施形態では、検出部２５は、液晶パネル２０の画面２１上の１つのコンテンツの画像が表示される画像表示領域のサイズを検出する機能とともに、当該画像表示領域内の外縁部における文字情報を検出する機能を有する。制御部２６は、検出部２５による検出結果に基づいて、バックライト２２を構成する複数のＬＥＤ２３のうち画像表示領域に位置するＬＥＤの輝度を制御する。
【００５０】
図１７は、第４の実施形態に係る表示装置１０における液晶パネル２０の正面図である。ここでは、画面２１の横幅がＷであり、画面２１の縦幅がＨであって、Ｗ：Ｈ＝１６：９であるものとする。画面２１上に示した画像表示領域３０は、１つのコンテンツの画像が表示される領域である。画像表示領域３０の横幅はｗであり、画像表示領域３０の縦幅はｈであるものとする。
【００５１】
図１８は、図１７の液晶パネル２０とユーザ３１との位置関係を示す平面図である。ユーザ３１は、液晶パネル２０の画面２１から推奨視聴距離Ｌだけ離れているものとする。ここに、Ｗ：Ｈ＝１６：９の場合にはＬ＝３＊Ｈとされる。そして、横幅ｗを持つ画像表示領域３０をユーザ３１から見たときの角度を２＊θとすると、
ｔａｎθ＝（ｗ／２）＊（１／Ｌ）      …（１）
が成り立つ。
【００５２】
一般に、画面２１から推奨視聴距離Ｌだけ離れた人が瞬時に注視可能な画像表示領域３０の最大横幅ｗ０は、θ＝４．２３°のときに式（１）から得られる横幅ｗの値であって、画面２１の横幅Ｗの約１／４に相当する。同様に、人が瞬時に注視可能な画像表示領域３０の最大縦幅ｈ０は、画面２１の縦幅Ｈの約１／４に相当する。
【００５３】
図１９は、各種サイズの液晶パネル２０において、画面２１から推奨視聴距離Ｌだけ離れた人が瞬時に注視可能な画像表示領域３０の最大横幅ｗ０及び最大縦幅ｈ０を示す図である。一例を説明すると、サイズ表記が５０インチの画面２１では、Ｗ＝１１０ｃｍ、Ｈ＝６２ｃｍ、Ｌ＝１８６ｃｍ、ｗ０＝２８ｃｍ、ｈ０＝１５ｃｍであって、ｗ０＝Ｗ／４、ｈ０＝Ｈ／４が略成り立つことが判る。
【００５４】
図２０は、最大横幅ｗ０及び最大縦幅ｈ０により定義される判定領域３２のサイズよりも画像表示領域３０が小さい場合の画面２１の例を示す正面図である。この場合、ユーザ３１は、画像表示領域３０の全体を瞬時に見ることができるので、輝度差の違いを認識しないように、画像表示領域３０の全体を略均等な明るさにすることが望ましい。そこで、制御部２６は、文字情報の有無や、静止画、動画の区別にかかわらず、画像表示領域３０に位置する全てのＬＥＤ２３の輝度が略均一になるように制御する。
【００５５】
図２１は、最大横幅ｗ０及び最大縦幅ｈ０により定義される判定領域３２のサイズよりも画像表示領域３０が大きく、且つ、画像表示領域３０の外縁部３３に文字情報が存在しない場合の画面２１の例を示す正面図である。この場合、外縁部３３よりも中央部３４の方が明るくなるように、すなわち周辺光量比を小さくすることによって、バックライト２２の消費電力を抑えつつ、見た目の明るさを良くすることが望ましい。そこで、検出部２５が外縁部３３に文字情報を検出しない場合、制御部２６は、外縁部３３に位置するＬＥＤ２３の輝度を、画像表示領域３０内の外縁部３３以外に位置するＬＥＤ２３の輝度より小さく制御する。
【００５６】
図２２は、最大横幅ｗ０及び最大縦幅ｈ０により定義される判定領域３２のサイズよりも画像表示領域３０が大きく、且つ、画像表示領域３０の外縁部３３に文字情報が存在する場合の画面の例を示す正面図である。文字の存在により、ユーザ３１の視線は外縁部３３の文字に引き付けられる。この場合でも図２１の場合と同様に周辺光量比を小さくすると、外縁部３３と中央部３４との輝度差に起因した違和感が生じてしまう。そこで、検出部２５が外縁部３３に文字情報を検出した場合、制御部２６は、外縁部３３の全域に位置するＬＥＤ２３の輝度を、画像表示領域３０内の外縁部３３以外に位置するＬＥＤ２３の輝度と略等しくさせるように制御する。すなわち、制御部２６は、画像表示領域３０に位置する全てのＬＥＤ２３の輝度が略均一になるように制御するのである。
【００５７】
本実施形態によれば、画像表示領域３０のサイズと、その外縁部３３における文字情報の有無とに応じた最適な光源部の輝度設定を実現できるので、限られた消費電力内で画像の表示品質を上げることが可能となる。
【００５８】
《第５の実施形態》
第５の実施形態では、検出部２５は、液晶パネル２０の画面２１上の画像表示領域の外縁部内の所定領域における文字情報を検出する機能を有する。制御部２６は、検出部２５による検出結果に基づいて、バックライト２２を構成する複数のＬＥＤ２３のうち画像表示領域に位置するＬＥＤの輝度を制御する。
【００５９】
図２３は、第５の実施形態に係る表示装置１０における液晶パネル２０上の画像表示領域３０の例を示す正面図である。画像表示領域３０は、横幅Ｗ、縦幅Ｈの画面２１のうち、横幅ｗ、縦幅ｈの部分を占める。そして、画像表示領域３０の４辺における外縁部３３のうちの１辺の一部をなす所定領域３５に文字情報が存在する場合、制御部２６は、画像表示領域３０の中央部３４と、文字情報の存在する所定領域３５とを同じ明るさにするように、画像表示領域３０に位置するＬＥＤ２３の輝度を制御する。その結果、文字情報の存在する所定領域３５を除く外縁部３３の輝度を低下させることによって、バックライト２２の消費電力を抑えつつ、違和感を防止することができる。
【００６０】
図２４は、図２３の例の１つの変形例を示す正面図である。この変形例では、矩形の画像表示領域３０の４辺における外縁部３３のうちの１辺の全域を所定領域３６とする。画像表示領域３０の外縁部３３内の所定領域３６に文字情報が存在する場合、制御部２６は、画像表示領域３０の中央部３４と、文字情報の存在する所定領域３６の全体とを同じ明るさにするように、画像表示領域３０に位置するＬＥＤ２３の輝度を制御する。その結果、画像表示領域３０の３辺における外縁部３３の輝度を低下させることによって、バックライト２２の消費電力を抑えつつ、違和感を防止することができる。
【００６１】
本実施形態によれば、画像表示領域３０の外縁部３３内の所定領域３５，３６における文字情報の有無に応じた最適な光源部の輝度設定を実現できるので、限られた消費電力内で画像の表示品質を上げることが可能となる。
【００６２】
以上、５つの実施形態を説明したが、表示部は液晶パネル２０に限らない。また、表示部とは別体の光源部としてバックライト２２を説明したが、表示部と光源部とを一体に形成してもよい。また、複数の光源の各々はＬＥＤ２３に限らない。
【００６３】
また、第４及び第５の実施形態では、画像表示領域３０の外縁部３３又は外縁部中の所定領域３５，３６における文字情報を検出部２５が検出するものとしたが、画像表示領域３０内における文字検出の対象である所定領域の位置は、外縁部に限らない。
【００６４】
また、検出部２５は、液晶パネル２０に文字が表示される前に文字情報を検出してもよいし、液晶パネル２０に文字が表示された後に文字情報を検出してもよい。制御部２６は、検出部２５の検出結果に基づいて液晶パネル２０が文字を表示する前にＬＥＤ２３を制御するようにしてもよいし、検出部２５の検出結果に基づいて液晶パネル２０が文字を表示した後にＬＥＤ２３を制御するようにしてもよい。
【００６５】
また、上記５つの実施形態を任意に組み合わせることも可能である。例えば、第３の実施形態における領域Ａ〜Ｄに位置する光源の輝度を、第４の実施形態のように各領域のサイズの大小に基づいて制御してもよい。
【符号の説明】
【００６６】
１０  表示装置
２０  液晶パネル（表示部）
２１  画面
２２  バックライト（光源部）
２３  ＬＥＤ（光源）
２４  入力部
２５  検出部
２６  制御部
２７  操作部
３０  画像表示領域
３３  外縁部
【図１】
2017161630.tif 000003
【図２】
2017161630.tif 000004
【図３】
2017161630.tif 000005
【図４】
2017161630.tif 000006
【図５】
2017161630.tif 000007
【図６】
2017161630.tif 000008
【図７】
2017161630.tif 000009
【図８】
2017161630.tif 000010
【図９】
2017161630.tif 000011
【図１０】
2017161630.tif 000012
【図１１】
2017161630.tif 000013
【図１２】
2017161630.tif 000014
【図１３】
2017161630.tif 000015
【図１４】
2017161630.tif 000016
【図１５】
2017161630.tif 000017
【図１６】
2017161630.tif 000018
【図１７】
2017161630.tif 000019
【図１８】
2017161630.tif 000020
【図１９】
2017161630.tif 000021
【図２０】
2017161630.tif 000022
【図２１】
2017161630.tif 000023
【図２２】
2017161630.tif 000024
【図２３】
2017161630.tif 000025
【図２４】
2017161630.tif 000026